(57)【要約】【課題】ピボットレバー及び効率的な空間利用を有するファンモジュールを提供する。【解決手段】ファンを有するファンモジュールは、コンピュータデバイス又はシステムを冷却するのに用いられる。ファンモジュールは、シャーシ内に搭載され、ハウジングと、ロック本体と、レバーと、を有する。ファンモジュールのハウジングは、ハウジングと、ロック本体と、レバーと、を有する。ファンモジュールのハウジングは、ファンを収容する中空内部を画定する。ロック本体は、ハウジングに結合され、ロック位置間で移動可能である。ロック本体は、ロック位置にある場合、シャーシのフロアのロック開口を通って延在する。ロック本体は、アンロック位置にある場合、シャーシのフロアのロック開口の上方に上昇する。レバーを第１位置から第２位置に移動させると、ロック本体がロック位置からアンロック位置に移動する。【選択図】図２Ａ
2020201932.tif 000002
【特許請求の範囲】
【請求項１】
ファンモジュールであって、
ファンを収容するように構成された中空内部を画定するハウジングと、
前記ハウジングに結合され、ロック位置とアンロック位置との間で移動可能なロック本体と、
前記ハウジングに結合され、第１位置と第２位置との間で移動可能なレバーと、を備え、
前記レバーを前記第１位置から前記第２位置に移動させると、前記ロック本体が前記ロック位置から前記アンロック位置に移動することを特徴とするファンモジュール。
【請求項２】
前記ロック位置において、前記ロック本体の下端部が前記ハウジングの下端部の下方に位置し、
前記アンロック位置において、前記ロック本体の下端部が前記ハウジングの下端部の上方に位置することを特徴とする請求項１に記載のファンモジュール。
【請求項３】
前記レバーは、近位端部と、遠位端部と、を有し、前記レバーの前記近位端部は、前記ハウジングにピボット可能に結合されており、
前記レバーの前記近位端部は、前記レバーが前記第１位置から前記第２位置に移動すると前記ロック本体に接触し、前記ロック本体を前記ロック位置から前記アンロック位置に移動させ、
前記レバーの前記近位端部は、湾曲先端部を有し、前記ロック本体は、前記レバーの前記近位端部の前記湾曲先端部に接触するように構成された外方延在縁部を有することを特徴とする請求項１に記載のファンモジュール。
【請求項４】
前記レバーが前記第１位置から前記第２位置にピボットする場合に、
前記レバーの前記近位端部の前記湾曲先端部がピボットし、前記湾曲先端部のピボットは、前記ロック本体が前記ロック位置から前記アンロック位置に移動するように、前記ロック本体の前記外方延在縁部を上昇させ、
（ｉ）前記レバーの前記近位端部の前記湾曲先端部と、（ｉｉ）前記ロック本体の前記外方延在縁部との間の接触点は、垂直方向に上方に移動することを特徴とする請求項３に記載のファンモジュール。
【請求項５】
前記ロック本体は、前記ロック位置に向かって付勢されており、前記ロック本体は、（ｉ）１つ以上のスプリング、（ｉｉ）ロック本体の可撓性若しくは圧縮性部分、又は、（ｉｉｉ）（ｉ）及び（ｉｉ）の両方を用いて付勢されていることを特徴とする請求項１に記載のファンモジュール。
【請求項６】
前記ファンモジュールは、前記ハウジングの端部に結合されたフレームピースをさらに備え、前記フレームピースは、少なくとも１つの上部支持部と、前記上部支持部の第１端部に結合された第１側支持部と、前記上部支持部の第２端部に結合された第２側支持部と、を含み、前記レバーは、前記フレームピースにピボット可能に搭載されており、
前記レバーは、第１アームと、第２アームと、ハンドルと、を含み、前記アームの近位端部は、前記フレームピースの前記第１側支持部にピボット可能に搭載されており、前記第２アームの近位端部は、前記フレームピースの前記第２側支持部にピボット可能に搭載されており、前記ハンドルは、前記第１アームの遠位端部及び前記第２アームの遠位端部に結合されており、
前記フレームピースは、（ｉ）前記第１側支持部の上端部、（ｉｉ）前記第２側支持部の上端部、又は、（ｉｉｉ）（ｉ）及び（ｉｉ）の両方によって形成される少なくとも１つの上面を有し、前記フレームピースは、前記上部支持部によって形成された側面を含み、前記側面は、前記少なくとも１つの上面に対して垂直であることを特徴とする請求項１に記載のファンモジュール。
【請求項７】
前記レバーが前記第１位置にある場合、前記レバーの前記ハンドルは、（ｉ）前記少なくとも１つの上面、及び、（ｉｉ）前記側面に隣接して配置され、これにより、前記第１アーム及び前記第２アームは、前記第１側支持部及び前記第２側支持部に対して平行であり、
前記レバーが前記第２位置にある場合、前記レバーの前記ハンドルは、前記フレームピースから外側に延在し、これにより、前記第１アーム及び前記第２アームは、前記第１側支持部及び前記第２側支持部に対して垂直であることを特徴とする請求項６に記載のファンモジュール。
【請求項８】
前記レバーは、前記ハンドルに結合されたラッチであって、静止位置と圧縮位置との間で移動可能なラッチを備え、前記ラッチは、前記静止位置に向かって付勢されており、
前記フレームピースは、前記フレームピースの少なくとも１つの上面から突出する１つ以上のタブを含み、前記レバーが前記第１位置にあり、且つ、前記ラッチが前記静止位置にある場合、前記レバーの前記ラッチは、前記フレームピースの前記側面と１つ以上のタブとの間に位置し、これにより、前記レバーが前記第１位置から前記第２位置に移動するのを抑制し、
前記ラッチを前記静止位置から前記圧縮位置に移動させると、前記ラッチが前記１つ以上のタブの上方に上昇することを特徴とする請求項６に記載のファンモジュール。
【請求項９】
前記第１側支持部は外方延在縁部を有し、前記ロック本体は内方延在縁部を有し、
前記レバーが前記第１位置にある場合、前記ロック本体の前記内方延在縁部は、前記第１側支持部の前記外方延在縁部上に位置しており、
前記レバーを前記第１位置から前記第２位置に移動させた場合の前記レバーと前記ロック本体との間の接触によって、前記ロック本体の前記内方延在縁部が前記第１側支持部の前記外方延在縁部から上昇することを特徴とする請求項６に記載のファンモジュール。
【請求項１０】
前記ファンモジュールは、シャーシと組み合わされており、前記シャーシは、１つ以上のファンモジュールを保持するように構成されており、前記ファンモジュールは、前記シャーシのフロアに搭載されており、前記ロック本体は、前記ロック本体が前記ロック位置にある場合に、前記シャーシの前記フロアに画定されたロック開口を通って延在し、前記レバーを前記第１位置から前記第２位置に移動させると、前記ロック本体が前記ロック開口から前記アンロック位置まで上昇することを特徴とする請求項１に記載のファンモジュール。
【発明の詳細な説明】
【技術分野】
【０００１】
本発明は、概して、コンピュータデバイス、又は、システムを冷却するファンモジュールに関する。具体的には、本発明の態様は、ファンモジュールをシャーシにロックし、ファンモジュールをシャーシからアンロックするのに用いられるレバーを有するファンモジュールに関する。
【背景技術】
【０００２】
ファンモジュールは、使用中のコンピュータデバイス及びシステムの冷却に用いられる。一般的に、１つ以上のファンモジュールは、シャーシに搭載されており、コンピュータデバイス又はシステムの使用期間中にファンモジュールを安定させるとともに、厳密な配置を提供する。ファンモジュールは、使用中の不慮の移動を抑制するために、シャーシ内の所定の位置にロックする必要がある。しかし、ファンモジュールを修理又は交換するために、シャーシから簡単に取り外し可能である必要もある。ファンモジュールをシャーシ内の所定の位置にロックできるだけでなく、修理又は交換のためにファンモジュールを簡単にアンロックできるコンポーネントは、多くの場合、嵩張るか扱い難いものである。しかし、コンピュータデバイス又はシステム内の空間を効率的に利用することは重要であり、これらの嵩張る又は扱い難いコンポーネントは、多くの場合、実用的ではない。
【０００３】
よって、最小限の空間を占有しながら、シャーシに対して容易にロック及びアンロックすることができる改良されたファンモジュールが必要とされている。
【発明の概要】
【発明が解決しようとする課題】
【０００４】
本発明は、ピボットレバー及び効率的な空間利用を有するファンモジュールを提供する。
【課題を解決するための手段】
【０００５】
本発明の様々な例は、ファンモジュールに関する。本発明の第１実施形態では、ファンモジュールは、ハウジングと、ロック本体と、レバーと、を備える。ハウジングは、ファンを収容するように構成された中空内部を画定する。ロック本体は、ハウジングに結合されており、ロック位置とアンロック位置との間で移動可能である。レバーは、ハウジングに結合されており、第１位置と第２位置との間で移動可能である。レバーを第１位置から第２位置に移動させると、ロック本体がロック位置からアンロック位置に移動する。
【０００６】
第１実施形態のいくつかの例では、ロック本体がロック位置にある場合、ロック本体の下端部は、ハウジングの下端部の下方に位置する。
【０００７】
第１実施形態のいくつかの例では、ロック本体がアンロック位置にある場合、ロック本体の下端部は、ハウジングの下端部の上方に位置する。
【０００８】
第１実施形態のいくつかの例では、レバーは、近位端部と、遠位端部と、を有する。レバーの近位端部は、ハウジングにピボット（回動）可能に結合されている。
【０００９】
第１実施形態のいくつかの例では、レバーが第１位置から第２位置に移動すると、レバーの近位端部がロック本体に接触し、ロック本体をロック位置からアンロック位置に移動させる。
【００１０】
第１実施形態のいくつかの例では、レバーの近位端部は、湾曲先端部（curved tip）を有しており、ロック本体は、外方延在縁部（outwardly-extending lip）を有している。ロック本体の外方延在縁部は、レバーの近位端部の湾曲先端部に接触するように構成されている。
【００１１】
第１実施形態のいくつかの例では、レバーが第１位置から第２位置にピボットする場合に、レバーの近位端部の湾曲先端部がピボットする。湾曲先端部がピボットする場合、湾曲先端部は、ロック本体がロック位置からアンロック位置に移動するように、ロック本体の外方延在縁部を上昇させる。
【００１２】
第１実施形態のいくつかの例では、（ｉ）レバーの近位端部の湾曲先端部と、（ｉｉ）ロック本体の外方延在縁部との間の接触点は、レバーが第１位置から第２位置に移動すると、ほぼ垂直方向に上方に移動する。
【００１３】
第１実施形態のいくつかの例では、ロック本体は、ロック位置に向かって付勢されている。
【００１４】
第１実施形態のいくつかの例では、ロック本体は、（ｉ）１つ以上のバネ、（ｉｉ）ロック本体の可撓性若しくは圧縮性部分、又は、（ｉｉｉ）（ｉ）及び（ｉｉ）の両方を用いて付勢されている。
【００１５】
第１実施形態のいくつかの例では、ファンモジュールは、ハウジングの端部に結合されたフレームピースをさらに備える。フレームピースは、上部支持部と、上部支持部の第１端部に結合された第１側支持部と、上部支持部の第２端部に結合された第２側支持部と、を含む。レバーは、フレームピースにピボット可能に搭載されている。
【００１６】
第１実施形態のいくつかの例では、レバーは、第１アームと、第２アームと、ハンドルと、を含む。第１アームの近位端部は、フレームピースの第１側支持部にピボット可能に搭載されている。第２アームの近位端部は、フレームピースの第２側支持部にピボット可能に搭載されている。ハンドルは、第１アームの遠位端部及び第２アームの遠位端部に結合されている。
【００１７】
第１実施形態のいくつかの例では、フレームピースは、（ｉ）第１側支持部の上端部、（ｉｉ）第２側支持部の上端部、又は、（ｉｉｉ）（ｉ）及び（ｉｉ）の両方によって形成される少なくとも１つの上面を含む。また、フレームピースは、上部支持部によって形成された側面を含む。側面は、少なくとも１つの上面に対してほぼ垂直に配置されている。
【００１８】
第１実施形態のいくつかの例では、レバーが第１位置にある場合、レバーのハンドルは、（ｉ）少なくとも１つの上面、及び、（ｉｉ）側面に隣接する。第１位置において、第１アーム及び第２アームは、第１側支持部及び第２側支持部に対してほぼ平行である。レバーが第２位置にある場合、レバーのハンドルは、フレームピースから外側に延在する。第２位置において、第１アーム及び第２アームは、第１側支持部及び第２側支持部に対してほぼ垂直である。
【００１９】
第１実施形態のいくつかの例では、レバーは、ハンドルに結合されたラッチをさらに備える。ラッチは、静止位置と圧縮位置との間で移動可能であり、ラッチは、静止位置に向かって付勢されている。
【００２０】
第１実施形態のいくつかの例では、フレームピースは、フレームピースの少なくとも１つの上面から突出する１つ以上のタブを含む。レバーが第１位置にあり、且つ、ラッチが静止位置にある場合、レバーのラッチは、フレームピースの側面と１つ以上のタブとの間に位置する。この構成によれば、レバーが第１位置から第２位置に移動することが抑制される。
【００２１】
第１実施形態のいくつかの例では、ラッチを静止位置から圧縮位置に移動させると、ラッチが１つ以上のタブの上方に上昇する。この構成によれば、レバーが第１位置から第２位置に移動することが抑制されない。
【００２２】
第１実施形態のいくつかの例では、第１側支持部は外方延在縁部を有し、ロック本体は内方延在縁部（inwardly-extending lip）を有する。レバーが第１位置にある場合、ロック本体の内方延在縁部は、第１側支持部の外方延在縁部上に位置する。
【００２３】
第１実施形態のいくつかの例では、レバーを第１位置から第２位置に移動させると、レバーがロック本体に接触する。レバーとロック本体との間の接触によって、ロック本体の内方延在縁部が第１側支持部の外方延在縁部から上昇する。
【００２４】
第１実施形態のいくつかの例では、ファンモジュールは、シャーシと組み合わせて存在する。シャーシは、１つ以上のファンモジュールを保持するように構成されている。ファンモジュールは、シャーシのフロアに搭載されている。ロック本体がロック位置にある場合、ロック本体は、シャーシのフロアに画定されたロック開口を通って延在する。レバーを第１位置から第２位置に移動させると、ロック本体がロック開口からアンロック位置まで上昇する。
【００２５】
上記の概要は、本発明の各実施形態又は各態様を表すことを意図するものではない。むしろ、上述した概要は、本明細書に記載されるいくつかの新規な態様及び特徴の例を単に提供するに過ぎない。上記の特徴及び利点と他の特徴及び利点とは、添付の図面及び特許請求の範囲に関連して考慮される場合、本発明を実施するための代表的な実施形態及びモードの以下の詳細の説明から容易に明らかになるであろう。
【発明の効果】
【００２６】
本発明によれば、最小限の空間を占有しながら、シャーシに対して容易にロック及びアンロックすることができる。
【００２７】
本発明は、添付の図面を参照して、例示的な実施形態の以下の説明からより良く理解されるであろう。
【図面の簡単な説明】
【００２８】
【図１】シャーシ内に搭載される複数のファンモジュールを含むファンウォールを示す図である。
【図２Ａ】図１のファンモジュールのうち１つのファンモジュールの斜視図である。
【図２Ｂ】図２Ａのファンモジュールの側面図である。
【図３Ａ】図２Ａ及び図２Ｂのファンモジュールの第１分解斜視図である。
【図３Ｂ】図２Ａ及び図２Ｂのファンモジュールの第２分解斜視図である。
【図４Ａ】図２Ａ及び図２Ｂのファンモジュールのフレームピースの第１側の第１斜視図である。
【図４Ｂ】図４Ａのフレームピースの第１側の第２斜視図である。
【図４Ｃ】図４Ａのフレームピースの第２側の第１斜視図である。
【図４Ｄ】図４Ａのフレームピースの第２側の第２斜視図である。
【図５Ａ】図２Ａ及び図２Ｂのファンモジュールの一対のロック本体の第１斜視図である。
【図５Ｂ】図５Ａの一対のロック本体の第２斜視図である。
【図６】図２Ａ及び図２Ｂのファンモジュールのレバー及びロック本体の拡大図である。
【図７Ａ】レバーが第１位置にある場合の図２Ａ及び図２Ｂのファンモジュールの側面図である。
【図７Ｂ】レバーが第１位置にある場合の図２Ａ及び図２Ｂのファンモジュールのロック本体の拡大斜視図である。
【図８Ａ】レバーが第１位置と第２位置との間にある場合の図２Ａ及び図２Ｂのファンモジュールの側面図である。
【図８Ｂ】レバーが第１位置と第２位置との間にある場合の図２Ａ及び図２Ｂのファンモジュールのロック本体の拡大斜視図である。
【図９Ａ】レバーが第２位置にある場合の図２Ａ及び図２Ｂのファンモジュールの側面図である。
【図９Ｂ】レバーが第２位置にある場合の図２Ａ及び図２Ｂのファンモジュールのロック本体の拡大斜視図である。
【発明を実施するための形態】
【００２９】
本発明は、様々な変更及び代替形態を受け入れることができる。いくつかの代表的な実施形態は、例として図面に示されており、本明細書で詳細に説明される。しかし、本発明は、開示された特定の形態に限定されることを意図していないことを理解されたい。むしろ、本発明は、添付の特許請求の範囲によって定義される本発明の趣旨及び範囲に含まれる全ての変更、均等物及び代替物を包含する。
【００３０】
本発明は、多くの異なる形態で具体化することができる。代表的な実施形態を図面に示し、本明細書で詳細に説明する。本開示は、本発明の原理の一例又は例示であり、本発明の広い態様を、図示した実施形態に限定することを意図していない。その範囲において、例えば、要約、概要及び詳細な説明に開示されているが、特許請求の範囲に明示的に記載されていない要素及び限定は、単独で又は集合的に、黙示、推論又は他の方法によって特許請求の範囲に組み込まれてはならない。本発明を詳細に説明する目的のために、特に否定しない限り、単数形は複数形を含み、その逆もまた同様である。「含む」という用語は、「制限なしに含む」ことを意味している。さらに、例えば、「約」、「殆ど」、「実質的に」、「およそ」等の近似語は、本明細書では、例えば、「〜に」、「〜に近い」、「大体」、「〜の３〜５％の範囲内」、「許容される製造公差内」、又は、これらの任意の論理的組み合わせを意味するものとして用いることができる。
【００３１】
図１は、複数のファンモジュール２０を含むファンウォール（fan wall）１０を示す図である。ファンモジュール２０は、シャーシ１２内に搭載されている。各ファンモジュール２０は、シャーシ１２内の対応するソケット１４内に搭載されている。ファンモジュール２０は、対応するソケット１４のフロア１６上にある。各ファンモジュール２０は、少なくとも１つのファン（図示省略）を含む。シャーシ１２内に搭載されたファンモジュール２０は、例えばサーバ等のコンピュータデバイス又はシステムの一部として含まれてもよい。コンピュータデバイス又はシステムのコンポーネントは、コンピュータデバイス又はシステムの動作中にファンによって冷却される。以下により詳細に説明するように、ファンモジュール２０は、使用中の不要な移動を抑制するためにシャーシ１２にロックされてもよい。
【００３２】
図２Ａ及び図２Ｂは、個々のファンモジュール２０を示す図である。図２Ａは、ファンモジュール２０の斜視図であり、図２Ｂは、ファンモジュール２０の側面図である。ファンモジュール２０は、概して、中空内部２４（図３Ａ及び図３Ｂ）を画定するハウジング２２を含む。個々のファン（図示省略）は、ハウジング２２の中空内部２４内に配置されている。ファンシールド２６は、ハウジング２２の第１端部３０Ａに結合されている。ファンシールド２６は、ハウジング２２内に搭載されたファンを保護し、使用中にユーザ（又は、他の異物）が不用意にファンに接触するのを抑制する。ファンコネクタ２８は、ハウジング２２の対向する第２端部３０Ｂに結合されている。ファンコネクタ２８は、ファンを、コンピュータデバイス又はシステム内の他のコンポーネントに電気的に接続する。これらの他のコンポーネントを、コンピュータデバイス又はシステムの動作中にファンを制御するために使用することができる。
【００３３】
ファンモジュール２０は、ファンモジュール２０をシャーシ１２又はシャーシ１２のフロア１６（図１）にロックするのに使用される第１ロック本体４０Ａをさらに含む。また、ファンモジュールは、図３Ａ及び図３Ｂに示す第２ロック本体を有する。ファンモジュール２０を修理又は交換するために、レバー８０がハウジング２２に結合される。レバー８０は、第１ロック本体４０Ａをロック位置とアンロック位置との間で移動させるのに使用される。第１ロック本体４０Ａがアンロック位置に移動すると、ファンモジュール２０をシャーシ１２から取り外すことができる。
【００３４】
ファンモジュール２０は、ハウジング２２に結合されたフレームピース５０をさらに含む。図２Ａ及び図２Ｂに示す実施形態では、フレームピース５０は、ハウジング２２に直接結合されている。第１ロック本体４０Ａは、ハウジング２２とフレームピース５０との間に位置し、レバー８０は、フレームピース５０にピボット可能に搭載されている。後述するように、レバー８０を、第１位置（図２Ａ、図２Ｂ及び図７Ａに示す）と第２位置（図９Ａに示す）との間でピボットさせて、第１ロック本体４０Ａを、ロック位置（図２Ａ、図２Ｂ、図７Ａ及び図７Ｂに示す）からアンロック位置（図９Ａ及び図９Ｂに示す）に上昇させることができる。
【００３５】
フレームピース５０は、上部支持部５２と、下部支持部５４と、第１側支持部５６と、第２側支持部５８とから形成されている。第１側支持部５６は、上部支持部５２及び下部支持部５４の一端を接続する。同様に、第２側支持部５８は、上部支持部５２及び下部支持部５４の反対側の端部を接続する。図２Ａ及び図２Ｂに示す実施形態では、フレームピース５０は、略正方形の断面を有している。また、ハウジング２２の第１端部３０Ａも略正方形の断面を有している。他の実施形態では、フレームピース５０及びハウジング２２は、他のタイプ又は形状の断面を有してもよい。
【００３６】
レバー８０は、第１アーム８４Ａ及び第２アーム８４Ｂに接続されたハンドル８２から形成されている。第１アーム８４Ａの近位端部８５Ａは、フレームピース５０の第１側支持部５６に結合されている。第２アーム８４Ｂの近位端部８５Ｂは、フレームピース５０の第２側支持部５８に結合されている。第１アーム８４Ａの遠位端部８６Ａは、ハンドル８２の一端に接続されている。第２アーム８４Ｂの遠位端部８６Ｂは、ハンドル８２他端に接続されている。
【００３７】
図３Ａ及び図３Ｂは、図２Ａ及び図２Ｂのファンモジュール２０の分解図である。分解されたコンポーネントには、ファンシールド２６と、ロック本体４０Ａ，４０Ｂと、フレームピース５０（上部支持部５２、下部支持部５４、第１側支持部５６及び第２側支持部５８から形成されている）と、レバー８０と、が含まれている。図３Ａ及び図３Ｂは、ファンモジュール２０の各種コンポーネントを説明するためにここで使用される３つの軸を定義する。縦軸（longitudinal axis）Ｌは、ハウジング２２、ファンシールド２６、ロック本体４０Ａ，４０Ｂ、フレームピース５０及びレバー８０が全て整列される（aligned）軸である。ファンは、縦軸Ｌに沿ってハウジング２２に挿入され又はハウジングから取り外される。ファンモジュール２０は、縦軸Ｌに沿ってシャーシ１２に挿入され又はシャーシ１２から取り外すことができる。
【００３８】
垂直軸（vertical axis）Ｖは、縦軸Ｌに対してほぼ垂直である。垂直軸Ｖは、ハウジング２２の第１端部３０Ａの上端部３２及び下端部３４を接続する。横軸（transverse axis）Ｔは、縦軸Ｌ及び垂直軸Ｖの両方に対してほぼ垂直である。横軸Ｔは、ハウジング２２の第１端部３０Ａの第１側端部３６及び第２側端部３８を略接続する。これらの軸Ｌ，Ｖ，Ｔは、図４Ａ〜図５Ｂにも示されている。
【００３９】
図３Ａ及び図３Ｂからわかるように、上部支持部５２は、ハウジング２２とは反対側を向く縦方向対向（longitudinally-facing）面７４を形成する。フレームピース５０の第１側支持部５６の上部は、縦方向対向面７４に垂直な第１上面７０Ａを形成する。第２側支持部５８の上部は、縦方向対向面７４に垂直に面する第２上面７０Ｂを形成する。第１保持タブ（retention tab）７２Ａは、第１上面７０Ａから上方に延在し、第２保持タブ７２Ｂは、第２上面から上方に延在する。
【００４０】
図示するように、ファンモジュール２０は、ハウジング２２の両側に配置された第１ロック本体４０Ａ及び第２ロック本体４０Ｂを有する。第１ロック本体４０Ａは、ハウジング２２の第１側端部３６と、フレームピース５０の第１側支持部５６との間に位置する。第２ロック本体４０Ｂは、ハウジング２２の第２側端部３８と、フレームピース５０の第２側支持部５８との間に位置する。ファンモジュール２０が組み立てられる場合（図２Ａ及び図２Ｂに示す）、第１ロック本体４０Ａは、概して、ハウジング２２の第１側端部３６と、フレームピース５０の第１側支持部５６とによって所定の位置に保持される。同様に、第２ロック本体４０Ｂは、概して、ハウジング２２の第２側端部３８と、フレームピース５０の第２側支持部５８とによって所定の位置に保持される。
【００４１】
図４Ａ及び図４Ｂは、フレームピース５０の、ハウジング２２（図３Ａ及び図３Ｂ）に面する側の斜視図である。図４Ｃ及び図４Ｄは、フレームピース５０の、ハウジング２２（図３Ａ及び図３Ｂ）に対して反対に向く側の斜視図である。フレームピース５０の第１側支持部５６は、第１外方延在縁部（outwardly-extending lip）６０Ａと、第２外方延在縁部７６Ａと、を有する。外方延在縁部６０Ａ，７６Ａは、第１側支持部５６及び第２側支持部５８の両方から離れるように、横軸Ｔに沿って第１横方向に延在する。第２側支持部５８は、同様に、第１外方延在縁部６０Ｂと、第２外方延在縁部７６Ｂと、を有する。外方延在縁部６０Ｂ，７６Ｂは、第１側支持部５６及び第２側支持部５８の両方から離れるように、横軸Ｔに沿って第２横方向に延在する。第２横方向は、第１横方向に対してほぼ平行であり、第１横方向に対して反対である。
【００４２】
フレームピース５０の第１側支持部５６は、下部５７Ａと、上部５９Ａとを有する。下部５７Ａは、上部５９Ａよりも横軸Ｔに沿って幅が広い。よって、下部５７Ａは、互いに垂直に対向する縦方向対向面６４Ａ及び横方向対向面６６Ａを形成する。同様に、フレームピース５０の第２側支持部５８は、下部５７Ｂと、上部５９Ｂとを有する。下部５７Ｂは、上部５９Ｂよりも横軸Ｔに沿って幅が広い。よって、下部５７Ｂは、互いに垂直に対向する縦方向対向面６４Ｂ及び横方向対向面６６Ｂを形成する。
【００４３】
第１側支持部５６及び第２側支持部５８は、レバー８０をフレームピース５０にピボット可能に取り付けるのを補助する取付ボス（mounting boss）を有する。第１取付ボス６８Ａは、第１横方向に、第１側支持部５６から外側に延在する。第２取付ボス６８Ｂは、第２横方法に、第２側支持部５８から外側に延在する。
【００４４】
上部支持部５２の縦方向の寸法は、第１側支持部５６の上部５９Ａの縦方向の寸法よりも概ね小さい。よって、上部５９Ａは、第１上面７０Ａを形成する。同様に、上部支持部５２の縦方向の寸法は、第２側支持部５８の上部５９Ｂの縦方向の寸法よりも概ね小さい。よって、上部５９Ｂは、第２上面７０Ｂを形成する。
【００４５】
第１保持タブ７２Ａは、第１上面７０Ａから垂直軸Ｖに沿って上方に延在する。第２保持タブ７２Ｂは、第２上面７０Ｂから垂直軸Ｖに沿って上方に延在する。上部支持部５２は、垂直軸Ｖに沿って、第１側支持部５６及び第２側支持部５８の上面７０Ａ，７０Ｂの上方に延在する。よって、上部支持部５２は、第１上面７０Ａ及び第２上面７０Ｂにほぼ垂直な側面７４（すなわち、縦方向対向面７４）を形成する。
【００４６】
図５Ａ及び図５Ｂは、ロック本体４０Ａ及びロック本体４０Ｂの斜視図である。ロック本体４０Ａ，４０Ｂは、上部４１Ａと、下部４１Ｂと、厚い中間部４１Ｃと、を有する。上部４１Ａ及び下部４１Ｂは、各々の中間部４１Ｃから反対方向にオフセット（offset）されている。各ロック本体４０Ａ，４０Ｂの下部４１Ｂは、フレームピース５０から離れる方向に、中間部４１Ｃからオフセットしている（図３Ａ及び図３Ｂ）。各ロック本体４０Ａ，４０Ｂの上部４１Ａは、フレームピース５０に向かう方向に、中間部４１Ｃからオフセットしている。
【００４７】
よって、第１ロック本体４０Ａの下部４１Ｂは、横軸Ｔに沿って第１横方向に中間部４１Ｃからオフセットしている。第１ロック本体４０Ａの上部４１Ａは、横軸Ｔに沿って第２横方向に中間部４１Ｃからオフセットしている。第２ロック本体４０Ｂの下部４１Ｂは、横軸Ｔに沿って第２横方向に中間部４１Ｃからオフセットしている。第２ロック本体４０Ｂの上部４１Ａは、横軸Ｔに沿って第１横方向に中間部４１Ｃからオフセットしている。
【００４８】
第１ロック本体４０Ａの下部４１Ｂ及び中間部４１Ｃは、内方延在（例えば、フレームピース５０に向かう）縁部４２を形成する。また、第２ロック本体４０Ｂの下部４１Ｂ及び中間部４１Ｃは、内方延在縁部４２を形成する。ファンモジュール２０が組み立てられる場合、第１ロック本体４０Ａの内方延在縁部４２は、第１側支持部５６の外方延在縁部６０Ａ上に存在する。第２ロック本体４０Ｂの内方延在縁部４２は、第２側支持部５８の外方延在縁部６０Ｂ上に存在する。
【００４９】
ロック本体４０Ａ，４０Ｂの両方は、外方延在縁部４６を有する。外方延在縁部４６は、ロック本体４０Ａ，４０Ｂの上部４１Ａから横軸Ｔに沿ってフレームピース５０から離れる方向に延在する。以下により詳細に説明するように、レバー８０の第１アーム８４Ａの湾曲先端部９４Ａは、第１ロック本体４０Ａの外方延在縁部４６に接触して、第１ロック本体４０Ａをロック位置からアンロック位置に移動させる（図６に示す）。同様に、レバー８０の第２アーム８４Ｂの湾曲先端部９４Ｂは、第２ロック本体４０Ｂの外方延在縁部４６に接触して、第２ロック本体４０Ｂをロック位置からアンロック位置に移動させる。
【００５０】
図４Ａ〜図５Ｂを参照すると、ファンモジュール２０が組み立てられる場合（図２Ａ及び図２Ｂ）、第１ロック本体４０Ａは、（ｉ）ハウジング２２の第１端部３０Ａの第１側端部３６と、（ｉｉ）第１側支持部５６の縦方向対向面６４Ａと、（ｉｉｉ）第１側支持部５６の横方向対向面６６Ａと、（ｉｖ）第１側支持部５６の外方延在縁部６０Ａと、の間に位置する。ファンモジュール２０が組み立てられる場合、第２ロック本体４０Ｂは、（ｉ）ハウジング２２の第１端部３０Ａの第１側端部３６と、（ｉｉ）第２側支持部５８の縦方向対向面６４Ｂと、（ｉｉｉ）第２側支持部５８の横方向対向面６６Ｂと、（ｉｖ）第２側支持部５８の外方延在縁部６０Ｂと、の間に位置する。
【００５１】
いくつかの実施形態では、ロック本体４０Ａは、ロック本体４０Ａがアンロック位置まで上昇したときに、第２外方延在縁部７６Ａに接触する。同様に、いくつかの実施形態では、ロック本体４０Ｂは、ロック本体４０Ｂがアンロック位置まで上昇したときに、第２外方延在縁部７６Ｂに接触する。よって、外方延在縁部７６Ａ，７６Ｂは、レバー８０が第２位置を超えて過度にピボットするのを抑制することができる（図９Ａに示す）。
【００５２】
図３Ａ及び図３Ｂに戻って参照すると、第１アーム８４Ａの近位端部８５Ａは、対応する第１取付開口（mounting aperture）８８Ａを有する。第２アーム８４Ｂの近位端部８５Ｂは、対応する第２取付開口８８Ｂを有する。レバー８０がフレームピース５０に搭載されると、第１アーム８４Ａの近位端部８５Ａが第１側支持部５６上に配置され、第１取付ボス６８Ａが第１取付開口８８Ａを通って延在する。同様に、第２アーム８４Ｂの近位端部８５Ｂが第２側支持部５８上に配置され、第２取付ボス６８Ｂが第２取付開口８８Ｂを通って延在する。よって、レバー８０の第１アーム８４Ａ及び第２アーム８４Ｂは、第１取付ボス及び第２取付ボス６８Ａ，６８Ｂを用いて、第１側支持部５６及び第２側支持部５８にピボット可能に搭載される。
【００５３】
いくつかの実施形態では、第１取付ボス６８Ａは、締まりばめ（interference fit）を用いて、第１アーム８４Ａの近位端部８５Ａに結合される。同様に、第２取付ボス６８Ｂは、締まりばめを用いて、第２アーム８４Ｂの近位端部８５Ｂに結合され得る。これらの実施形態では、第１取付ボス６８Ａと取付開口８８Ａの周囲との間の摩擦によって、第１アーム８４Ａがフレームピース５０に固定される。同様に、第２取付ボス６８Ｂと取付開口８８Ｂの周囲との間の摩擦によって、第２アーム８４Ｂがフレームピース５０に固定される。これらのコンポーネント間の摩擦は、第１アーム８４Ａ及び第２アーム８４Ｂが、対応する取付ボス６８Ａ，６８Ｂから不用意に外れるのを抑制するのに十分な大きさである。また、これらのコンポーネント間の摩擦は、アーム８４Ａ，８４Ｂ（及び、レバー８０）がフレームピース５０に対してピボットするのに十分な小ささである。
【００５４】
他の実施形態では、取付ボス６８Ａ，６８Ｂの外端部の直径は、取付開口８８Ａ，８８Ｂの直径よりも僅かに大きい。取付ボス６８Ａ，６８Ｂの残りの部分の直径は、取付開口８８Ａ，８８Ｂの直径よりも僅かに小さい。また、取付ボス６８Ａ，６８Ｂは、ほぼ圧縮性の材料から形成される。第１アーム８４Ａ及び第２アーム８４Ｂの近位端部８５Ａ，８５Ｂは、取付ボス６８Ａ，６８Ｂにスナップ留めされて（snap）、レバー８０をフレームピース５０に固定することができる。取付ボス６８Ａ，６８Ｂの外端部に加えられる力によって、外端部が僅かに圧縮される。これにより、取付ボス６８Ａ，６８Ｂの外端部が、取付開口８８Ａ，８８Ｂを通過することができる。その後、取付ボス６８Ａ，６８Ｂの外端部の大きい直径によって、第１アーム８４Ａ及び第２アーム８４Ｂがフレームピース５０に固定される。
【００５５】
レバー８０が第１位置にある場合（図２Ａ、図２Ｂ及び図７Ａに示す）、第１アーム８４Ａ及び第２アーム８４Ｂは、垂直軸Ｖに沿って上方に延在し、フレームピース５０の第１側支持部５６及び第２側支持部５８とほぼ平行である。第１位置では、レバー８０のハンドル８２は、上部支持部５２の縦方向対向面７４と、第１側支持部５６及び第２側支持部５８の第１上面７０Ａ及び第２上面７０Ｂと、に隣接及び近接して配置される。
【００５６】
レバー８０は、レバー８０を第１位置に受動的に維持するのに使用されるラッチ９０を含む。ラッチ９０は、バネ９２Ａ，９２Ｂを介してハンドル８２の下側に結合される。バネ９２Ａ，９２Ｂは、ラッチ９０を、静止位置に向けて下方に付勢する。ユーザは、ラッチ９０及びハンドル８２を圧迫することにより、バネ９２Ａ，９２Ｂを圧縮することができる。よって、ラッチ９０は、圧縮位置まで垂直軸Ｖに沿って上方に移動する。
【００５７】
ファンモジュール２０がシャーシ１２にロックされると、レバー８０は、フレームピース５０の上部支持部５２に隣接する第１位置にあり、ラッチ９０は、静止位置にある。ラッチ９０が静止位置にある場合、ラッチ９０は、第１側支持部５６及び第２側支持部５８の第１上面７０Ａ及び第２上面７０Ｂに隣接して配置される。ラッチ９０の第１アーム８４Ａに近い部分は、（ｉ）上部支持部５２の縦方向対向面７４の第１側支持部５６に近い部分と、（ｉｉ）第１保持タブ７２Ａとの間に位置する。
【００５８】
同様に、ラッチ９０の第２アーム８４Ｂに近い部分は、（ｉ）上部支持部５２の縦方向対向面７４の第２側支持部５８に近い部分と、（ｉｉ）第２保持タブ７２Ｂとの間に位置する。これにより、ラッチ９０は、（ｉ）上部支持部５２の縦方向対向面７４と、（ｉｉ）第１保持タブ７２Ａ及び第２保持タブ７２Ｂとによって、所定の位置にロックされる。ラッチ９０がレバー８０のハンドル８２に結合されるので、レバー８０も所定の位置にロックされ、第１位置から第２位置（図９Ａに示す）に移動することができない。よって、ラッチ９０は、ファンモジュール２０が使用中に不用意にシャーシ１２からアンロックされるのを抑制する。
【００５９】
他の実施形態では、ラッチ９０は、保持タブ７２Ａ，７２Ｂと縦方向対向面７４との間に完全に配置されていない。むしろ、ラッチ９０の下側は、レバーが第１位置にあり、且つ、ラッチ９０が圧縮されていない場合に、保持タブ７２Ａ，７２Ｂが嵌合する開口（図示省略）を有することができる。よって、ラッチ９０の一部は、保持タブ７２Ａ，７２Ｂの片側に位置する（縦方向対向面７４に直接隣接する）ことになる。ラッチ９０の他の部分は、保持タブ７２Ａ，７２Ｂの縦方向対向面７４の反対側に配置される。
【００６０】
レバー８０をアンロックするために、ラッチ９０及びハンドル８２を、バネ９２Ａ，９２Ｂが圧縮するように押圧して、ラッチ９０を圧縮位置に移動させる。圧縮位置では、ラッチ９０は、垂直軸Ｖに沿って第１保持タブ７２Ａ及び第２保持タブ７２Ｂの上方に位置する。これにより、ラッチ９０は、（ｉ）上部支持部５２の縦方向対向面７４と、（ｉｉ）第１保持タブ７２Ａ及び第２保持タブ７２Ｂとの間の位置にロックされなくなる。レバー８０は、第１位置から第２位置にピボットすることが抑制されなくなる。第２位置では、第１アーム８４Ａ及び第２アーム８４Ｂは、縦軸Ｌに沿って延在し、第１側支持部５６及び第２側支持部５８に対してほぼ垂直である。レバー８０のハンドル８２は、縦軸Ｌに沿って、フレームピース５０から離れて位置する。
【００６１】
図示した実施形態では、ラッチ９０は、上部支持部５２及び／又はハンドル８２とほぼ同じ長さである。よって、ラッチ９０は、（ｉ）第１側支持部５６の第１上面７０Ａと（ｉｉ）第２側支持部５８の第２上面７０Ｂとの間の横方向の距離全体に及ぶ。しかし、他の実施形態も可能である。一実施形態では、フレームピース５０は、保持タブ７２Ａ，７２Ｂのうち一方のみを有する。よって、ラッチ９０は、上部支持部５２及び／又はハンドル８２と同じ長さである必要がない。代わりに、ラッチ９０は、第１アーム８４Ａ及び第２アーム８４Ｂのうち一方の近傍においてのみハンドル８２の下方に配置され得る。ラッチ９０は、圧縮位置にある場合、上部支持部５２の縦方向対向面７４と、第１保持タブ７２Ａ又は第２保持タブ７２Ｂとの間に配置される。他の実施形態では、保持タブは、上部支持部５２のほぼ中央付近に配置され、ラッチ９０は、ハンドル８２のほぼ中央付近に配置される。ラッチ９０の長さは、保持タブの位置にかかわらず、ハンドル８２と同じであってもよい。
【００６２】
ファンモジュール２０のロックコンポーネント（フレームピース５０、第１ロック本体４０Ａ、第２ロック本体４０Ｂ、レバー８０、及び、ハンドル８２）は、使用時にハウジング２２の第１端部３０Ａを超えて僅かな空間を占有する。上部支持部５２及びハンドル８２の両方の縦方向の寸法は、第１側支持部５６の上部５９Ａの縦方向の寸法、及び、第２側支持部５８の上部５９Ｂの縦方向の寸法よりも小さい。よって、レバー８０が第１位置にある場合、レバー８０は、上部支持部５２に近接して配置され得る。
【００６３】
レバー８０は、縦軸に沿ってフレームピース５０自身よりも遠くまで延在しないので、ファンモジュール２０のロックコンポーネントが占有する空間の量が減少する。いくつかの実施形態では、ファンモジュール２０のロックコンポーネントがハウジング２２の第１端部３０Ａを超えて延在する最大距離は、約２０．０ｍｍ、約１９．０ｍｍ、約１９．０ｍｍ〜約２０．００ｍｍ、又は、約１５．０ｍｍ〜約２０．０ｍｍである。
【００６４】
図６は、レバー８０を第１位置から第２位置に移動させたときの（ｉ）レバー８０の第１アーム８４Ａの近位端部８５Ａと（ｉｉ）第１ロック本体４０Ａとの間の相互作用を示す図である。図４では、第１アーム８４Ａ及び第１ロック本体４０Ａのみを示しているが、第１アーム８４Ｂの近位端部８５Ｂと第２ロック本体４０Ｂ（図３Ａ及び図３Ｂ）との間の相互作用は、ほぼ同じである。
【００６５】
図示するように、第１アーム８４Ａの近位端部８５Ａは、湾曲先端部９４Ａで終端する。湾曲先端部９４Ａは、第１ロック本体４０Ａの外方延在縁部４６の下側に接触する。レバー８０が第１位置から第２位置にピボットすると、第１アーム８４Ａの近位端部８５Ａは、第１取付６８Ａを中心にピボットする。湾曲先端部９４Ａは、垂直軸Ｖに沿って上方に移動し、縦軸Ｌに沿ってハウジング２２から離れる。
【００６６】
湾曲先端部９４Ａが上方及び外側に移動すると、第１ロック本体４０Ａの外方延在縁部４６を上方に押し上げる。これにより、湾曲先端部９４Ａは、第１ロック本体４０Ａを垂直軸Ｖに沿って上昇させ、第１ロック本体４０Ａをロック位置からアンロック位置に移動させる。よって、第１アーム８４Ａの近位端部８５Ａの湾曲先端部９４Ａは、レバー８０のピボットを第１ロック本体４０Ａの線形移動に変換するカム（cam）として作用する。
【００６７】
図７Ａ〜図９Ｂは、レバー８０が第１位置から第２位置に移動する場合の（よって、ロック本体４０Ａがロック位置からアンロック位置に移動する場合の）、ハウジング２２に対するレバー８０及び第１ロック本体４０Ａの位置を示す図である。図６と同様に、図７Ａ〜図９Ｂは、第１ロック本体４０Ａ及びレバー８０の第１アーム８４Ａのみを示している。しかし、これらのコンポーネントの説明は、第２ロック本体４０Ｂ及びレバー８０の第２アーム８４Ｂ（図３Ａ及び図３Ｂ）にも同様に適用される。
【００６８】
図７Ａ及び図７Ｂでは、レバー８０は第１位置にある。第１位置では、ハンドル８２は、フレームピース５０の上部支持部５２に隣接して配置されている。また、ハンドル８２は、（ｉ）第１側支持部５６及び第２側支持部５８の上面７０Ａ，７０Ｂ（図２Ａ及び図２Ｂ）と、（ｉｉ）第１保持タブ７２Ａ及び第２保持タブ７２Ｂ（図３Ａ及び図３Ｂ）とに隣接して配置される。レバー８０が第１位置にある場合、湾曲先端部９４Ａは、第１ロック本体４０Ａの外方延在縁部４６からほぼ下方に向いている。よって、湾曲先端部９４Ａは、外方延在縁部４６に接触せず、第１ロック本体４０Ａは、ロック位置にある。
【００６９】
ロック位置では、ロック本体４０Ａの下端部４４は、ハウジング２２の第１端部３０Ａの下端部３４の下方に配置される。ロック位置では、ロック本体４０Ａの下端部４４は、ファンモジュール２０の他のコンポーネント又はファンモジュール２０の一部の下方に配置される。ファンモジュール２０がシャーシのフロア１６上にある場合、ロック本体４０Ａの下端部４４は、図７Ｂに示すように、シャーシ１２のフロア１６に画定されたロック開口１８を通って延在する。よって、ファンモジュール２０は所定の位置にロックされ、ファンモジュール２０がシャーシ１２内で不用意に移動するのを抑制する。
【００７０】
図８Ａ及び図８Ｂでは、レバー８０は、既に、第１位置から、第１位置と第２位置との間の中間位置にピボットしている。ここで、レバー８０の第１アーム８４Ａは、第１側支持部５６に対して水平ではなく、第１側支持部５６に対して垂直でもない。レバー８０が、第１位置から離れる方向にピボットし始めたので、第１アーム８４Ａの近位端部８５Ａの湾曲先端部９４Ａは上方にピボットし始めている。湾曲先端部９４Ａは、第１ロック本体４０Ａの外方延在縁部４６に接触し始める。よって、湾曲先端部９４Ａは、ロック本体４０Ａをロック位置から移動させ始めている。図８Ａに示すように、ロック本体４０Ａの下端部４４は、ハウジング２２の下端部３４の上方に未だ上昇していない。図８Ｂに示すように、レバー８０が中間位置に移動した場合、ロック本体４０Ａの下端部４４は、フロア１６に画定されたロック開口１８から未だ立ち上がっていない。
【００７１】
図９Ａ及び図９Ｂでは、レバー８０が、第２位置までずっとピボットしている。第２位置では、レバー８０の第１アーム８４Ａは、第１側支持部５６に対してほぼ垂直である。第１アーム８４Ａの遠位端部８６Ａ及びハンドル８２は、縦軸に沿ってフレームピース５０から離れて配置されている。レバー８０が第２位置にピボットすると、第１アーム８４Ａの近位端部８５Ａの湾曲先端部９４Ａが上方にピボットし続ける。湾曲先端部９４Ａが第１ロック本体４０Ａの外方延在縁部４６を押圧すると、第１ロック本体４０Ａがアンロック位置まで上昇する。図９Ａに示すように、第１ロック本体４０Ａの下端部４４は、ハウジング２２の下端部３４の上方に位置している。図９Ｂは、ファンモジュール２０がシャーシ１２に搭載され、第１ロック本体４０Ａがアンロック位置に移動した場合に、第１ロック本体４０Ａの下端部４４が、シャーシ１２のフロア１６のロック開口１８内まで延在しないことを示している。よって、レバー８０が第２位置に移動して、ロック本体４０Ａがアンロック位置に移動した場合に、ファンモジュール２０をシャーシ１２から安全に取り外すことができる。
【００７２】
図７Ａ、図８Ａ及び図９Ａからわかるように、第１ロック本体４０Ａの上方への移動量は、第１取付開口８８Ａと第１ロック本体４０Ａの外方延在縁部４６との間の第１アーム８４Ａの寸法に依存する。第１アーム８４Ａの湾曲先端部９４Ａが下方に湾曲して取付開口８８Ａから離れるので、この寸法は、レバー８０が第２位置にピボットし、湾曲先端部９４Ａが上方にピボットするにつれて、ゆっくりと増加する。図７Ａでは、第１取付開口８８Ａと第１ロック本体４０Ａの外方延在縁部４６との間の第１アーム８４Ａの寸法が最小化されている。よって、ロック本体４０Ａは、ロック位置に固定される。
【００７３】
図８Ａでは、湾曲先端部９４Ａが上方にピボットし始めている。ここで、第１取付開口８８Ａと第１ロック本体４０Ａの外方延在縁部４６との間の第１アーム８４Ａの寸法は、先端部の湾曲により大きくなっている。よって、ロック本体４０Ａは、先ず、ロック位置から上昇する。最後に、図９Ａにおいて、第１取付開口８８Ａと第１ロック本体４０Ａの外方延在縁部４６との間の第１アーム８４Ａの寸法が最大になる。レバー８０は、第２位置までずっとピボットしており、これにより、湾曲先端部９４Ａは、第１取付開口８８Ａと第１ロック本体４０Ａの外方延在縁部４６との間にほぼ配置されるのに十分に上方にピボットしている。よって、湾曲先端部９４Ａは、ロック本体４０Ａを完全にアンロック位置まで上昇させている。図７Ａ、図８Ａ及び図９Ａの比較からわかるように、レバー８０が第１位置から第２位置に移動すると、第１アーム８４Ａの近位端部８５Ａと第１ロック本体４０Ａの外方延在縁部４６との間の接触点がほぼ垂直方向に上方に移動する。
【００７４】
いくつかの実施形態では、第１ロック本体４０Ａ及び第２ロック本体４０Ｂは、ロック位置に向かって付勢されてもよい。一実施形態では、１つ以上のバネは、第１ロック本体４０Ａ及び第２ロック本体４０Ｂがロック位置まで上方に移動するのに伴って圧縮するように配置されている。この実施形態では、レバー８０を第２位置に移動させる力が解除されるとバネが拡張し、第１ロック本体４０Ａ及び第２ロック本体４０Ｂが自動的にロック位置に戻る。別の実施形態では、第１ロック本体４０Ａ及び第２ロック本体４０Ｂは、一般的に、圧縮性がある材料で形成される。第１ロック本体４０Ａ及び第２ロック本体４０Ｂは、アンロック位置に移動すると、第１側支持部５６及び第２側支持部５８の外方延在縁部７６Ａ，７６Ｂに押し付けられながら圧縮する。その後、レバー８０を第２位置に移動させる力が解除されると、第１ロック本体４０Ａ及び第２ロック本体４０Ｂが拡張してアンロック位置に戻り始める。
【００７５】
他の実施形態では、ロック本体４０Ａ，４０Ｂは、上方に移動すると、アンロック位置に留まる。ロック本体４０Ａ，４０Ｂをロック位置に戻すには、レバー８０を第１位置に戻す。レバーが第１位置に移動すると、湾曲先端部９４Ａ，９４Ｂは、ロック本体４０Ａ，４０Ｂの第２外方延在縁部４７（図５Ａ及び図５Ｂ）に接触して、ロック本体４０Ａ，４０Ｂをロック位置に押し戻すことができる。
【００７６】
本明細書で用いられる「結合」という用語は、直接結合又は間接結合を意味する。例えば、図示した実施形態では、レバー８０は、レバー８０をフレームピース５０に取り付け、フレームピース５０をハウジング２２及び／又はファンシールド２６に取り付けることによって、ハウジング２２に結合される。他の実施形態では、レバー８０は、レバー８０をハウジング２２に直接ピボット可能に取り付けることによって、ハウジング２２に結合される。この実施形態では、ハウジング２２は、フレームピース５０（例えば、外方延在縁部６０Ａ，６０Ｂ及び取付ボス６８Ａ，６８Ｂ等）からの様々な形状を含むように成形され得る。
【００７７】
本明細書で用いられる用語は、特定の実施形態を説明することを目的としており、本発明を限定することを意図していない。本明細書で使用されているように、「一」、「１つの」、「この」という単数形は、文脈が他のことを明確に示さない限り、複数形も含むことが意図されている。さらに、「含む」、「有する」やこれらの変化形が、詳細な説明及び／又は特許請求の範囲に用いられており、このような用語の意味は、「備える」という用語と同様に包括的であることを意図している。
【００７８】
特に定義されない限り、本明細書で使用される用語（技術用語及び科学用語を含む）は、当業者によって一般に理解されるのと同じ意味を有する。さらに、一般的に使用される辞書において定義されるような用語は、関連技術の文脈におけるこれらの意味と一致する意味を有するものとして解釈されるべきであり、本明細書において明示的に定義されない限り、理想化された意味又は過度に形式的な意味で解釈されない。
【００７９】
本発明の様々な実施形態が説明されているが、これらは、単なる例示であって、これらに限定されないことを理解されたい。本発明の実施形態に基づく様々な変更は、本発明の趣旨及び範囲を逸脱しない状況下で行うことができる。よって、本発明の広さや範囲は、上述した任意の実施形態によって限定されるべきではない。むしろ、本発明の範囲は、以下の特許請求の範囲及びこれらの均等物に従って定義されるべきである。
【００８０】
本発明は、１つ以上の実施形態に関して例示及び説明されているが、当業者であれば、本明細書及び添付の図面を読んで理解すれば、同等の変更及び修正を行うか、知ることができるであろう。また、本発明の特徴は、複数の実施形態のうち１つのみに関連して述べられているが、このような特徴は、所定の又は特定の用途に必要で有利な１つ以上の他の実施形態の他の特徴と組み合わせることができる。
【符号の説明】
【００８１】
１０…ファンウォール
１２…シャーシ
１４…ソケット
１６…フロア
１８…ロック開口
２０…ファンモジュール
２２…ハウジング
２４…中空内部
２６…ファンシールド
２８…ファンコネクタ
３０Ａ…第１端部
３０Ｂ…第２端部
３２…上端部
３４…下端部
３６…第１側端部
３８…第２側端部
４０Ａ…第１ロック本体
４０Ｂ…第２ロック本体
４１Ａ…上部
４１Ｂ…下部
４１Ｃ…中間部
４２…内方延在縁部
４４…下端部
４６…外方延在縁部
４７…第２外方延在縁部
５０…フレームピース
５２…上部支持部
５４…下部支持部
５６…第１側支持部
５７Ａ，５７Ｂ…下部
５８…第２側支持部
５９Ａ，５９Ｂ…上部
６０Ａ，６０Ｂ…第１外方延在縁部
６４Ａ，６４Ｂ…縦方向対向面
６６Ａ，６６Ｂ…横方向対向面
６８Ａ…第１取付ボス
６８Ｂ…第２取付ボス
７０Ａ…第１上面
７０Ｂ…第２上面
７２Ａ…第１保持タブ
７２Ｂ…第２保持タブ
７４…縦方向対向面
７６Ａ，７６Ｂ…外方延在縁部
８０…レバー
８２…ハンドル
８４Ａ…第１アーム
８４Ｂ…第２アーム
８５Ａ…近位端部
８５Ｂ…近位端部
８６Ａ…遠位端部
８６Ｂ…遠位端部
８８Ａ…第１取付開口
８８Ｂ…第２取付開口
９０…ラッチ
９２Ａ，９２Ｂ…バネ
９４Ａ，９４Ｂ…湾曲先端部
Ｖ…垂直軸
Ｔ…横軸
Ｌ…縦軸
【図１】
2020201932.tif 000003
【図２Ａ】
2020201932.tif 000004
【図２Ｂ】
2020201932.tif 000005
【図３Ａ】
2020201932.tif 000006
【図３Ｂ】
2020201932.tif 000007
【図４Ａ】
2020201932.tif 000008
【図４Ｂ】
2020201932.tif 000009
【図４Ｃ】
2020201932.tif 000010
【図４Ｄ】
2020201932.tif 000011
【図５Ａ】
2020201932.tif 000012
【図５Ｂ】
2020201932.tif 000013
【図６】
2020201932.tif 000014
【図７Ａ】
2020201932.tif 000015
【図７Ｂ】
2020201932.tif 000016
【図８Ａ】
2020201932.tif 000017
【図８Ｂ】
2020201932.tif 000018
【図９Ａ】
2020201932.tif 000019
【図９Ｂ】
2020201932.tif 000020